(57)【要約】【課題】  簡単な構造を有し、装置の運搬や保管も容易に行え、さらに駆動綱車に係止された係止手段を容易に取り外すことができるエレベータ巻上機の主索掛け装置を得る。【解決手段】  エレベータ巻上機の進入孔から挿入され、エレベータ巻上機の進出孔から取り出されることによって、エレベータ巻上機内部に設けられた駆動綱車にエレベータの主索を巻き掛けるエレベータ巻上機の主索掛け装置において、主索に連結する連結手段と、進入孔から挿入されて駆動綱車に係止する係止手段と、進出孔から取り出すための取出手段とを有する案内具を備える。【選択図】      図４
2005067820.tif 000002
【特許請求の範囲】
【請求項１】
エレベータ巻上機の進入孔から挿入され、前記エレベータ巻上機の進出孔から取り出されることによって、前記エレベータ巻上機内部に設けられた駆動綱車にエレベータの主索を巻き掛けるエレベータ巻上機の主索掛け装置において、前記主索に連結する連結手段及び前記進入孔から挿入されて前記駆動綱車に係止する係止手段を有する案内具を備えたことを特徴とするエレベータ巻上機の主索掛け装置。
【請求項２】
エレベータ巻上機の進入孔から挿入され、前記エレベータ巻上機の進出孔から取り出されることによって、前記エレベータ巻上機内部に設けられた駆動綱車にエレベータの主索を巻き掛けるエレベータ巻上機の主索掛け装置において、前記主索に連結する連結手段と、前記進入孔から挿入されて前記駆動綱車に係止する係止手段と、前記進出孔から取り出すための取出手段とを有する案内具を備えたことを特徴とするエレベータ巻上機の主索掛け装置。
【請求項３】
エレベータ巻上機の進入孔から挿入され、前記エレベータ巻上機の進出孔から取り出されることによって、前記エレベータ巻上機内部に設けられた駆動綱車にエレベータの主索を巻き掛けるエレベータ巻上機の主索掛け装置において、前記主索に連結する連結手段を有する案内具と、この案内具に一端部を連結された弾性材料からなる先導条体と、この先導条体の他端部に連結され、前記駆動綱車に係止する係止手段を有する固定具と、この固定具に設けられ、前記進出孔から前記固定具を取り出す取出手段とを備えたことを特徴とするエレベータ巻上機の主索掛け装置。
【請求項４】
前記係止手段は、磁石であることを特徴とする請求項１〜請求項３の何れかに記載のエレベータ巻上機の主索掛け装置。
【請求項５】
前記磁石は、前記駆動綱車の外周面に係合する湾曲面を有することを特徴とする請求項４に記載のエレベータ巻上機の主索掛け装置。
【請求項６】
前記連結手段は、前記案内具に設けられ、前記主索を挿入する取付穴と、この取付穴の内部で前記主索を固定する固定手段とを備えたことを特徴とする請求項１〜請求項５の何れかに記載のエレベータ巻上機の主索掛け装置。
【請求項７】
前記連結手段は、前記案内具に設けられ、前記主索を挿入する取付穴と、この取付穴の内部で前記主索を押圧する固定手段と、前記固定手段より前記取付穴の底部側に設けられ、前記取付穴に貫通する確認穴とを備えたことを特徴とする請求項１〜請求項５の何れかに記載のエレベータ巻上機の主索掛け装置。
【請求項８】
前記取出手段は、前記係止手段を有する前記案内具又は前記固定具に設けられ、この案内具又は固定具を前記進出孔から取り出すために前記進出孔から挿入された引出具が係止される取出部を備えたことを特徴とする請求項２〜請求項７の何れかに記載のエレベータ巻上機の主索掛け装置。
【請求項９】
エレベータ巻上機の進入孔から、主索の一端部が連結された係止手段を挿入して、前記エレベータ巻上機の駆動綱車に前記係止手段を係止する主索係止工程と、前記駆動綱車を回転して前記係止手段を前記エレベータ巻上機の進出孔に移動する主索移動工程と、前記駆動綱車に係止されている取出部に、前記進出孔から挿入された引出具を係止させることによって、前記進出孔から前記主索を取り出す主索取出工程とを行うエレベータ巻上機の主索掛け方法。
【発明の詳細な説明】
【技術分野】
【０００１】
この発明は、エレベータ巻上機の駆動綱車に主索を巻き掛ける装置及びその方法に関するものである。
【背景技術】
【０００２】
主索の先端に連結された先導条体を主索の進入孔から挿入して駆動綱車に係止し、駆動綱車を回転させて先導条体を主索の進出孔に移動する先導条体移動工程と、進出孔から先導条体を引き出して主索を駆動綱車に巻き掛ける主索巻掛工程とを行う従来のエレベータ巻上機の主索掛け装置には、弾性材料からなる先導条体の両端部に、主索と先導条体とを連結する連結具と、ハウジング内に設けられた駆動綱車に先導条体を係止させる係止手段とを備えたものがある（例えば、特許文献１参照）。
【０００３】
【特許文献１】特開２００２−３６２８５１号公報（第８〜９図）
【発明の開示】
【発明が解決しようとする課題】
【０００４】
特許文献１に記載のエレベータ巻上機の主索掛け装置は、主索に連結する連結具と、弾性材料からなる先導条体と、駆動綱車に吸着する係止手段とを備えているために多くの部品を必要とするとともに、先導条体はある程度の長さを有し、さらに塑性変形を起こさないように小さく折りたたむことができなかったため、運搬や保管に際し不便であった。
【０００５】
また、主索の進出孔から先導条体を引き出して主索を駆動綱車に巻き掛ける主索巻掛工程においては、駆動綱車に吸着している係止手段を取り外すために、作業者が狭い進出孔に手を入れて係止手段を駆動綱車から取り外さなければならず、作業効率が悪いという問題もあった。
【０００６】
この発明は、上述のような課題を解決するためになされたもので、簡単な構造を有し、装置の運搬や保管も容易に行うことができるエレベータ巻上機の主索掛け装置を提供することである。
【０００７】
また、駆動綱車に係止された係止手段を容易に取り外すことができるエレベータ巻上機の主索掛け装置を提供することである。
【課題を解決するための手段】
【０００８】
この発明に係るエレベータ巻上機の主索掛け装置は、エレベータの主索に連結する連結手段及びエレベータ巻上機の進入孔から挿入されてエレベータ巻上機内部に設けられた駆動綱車に係止する係止手段を有する案内具を備えたものである。
【発明の効果】
【０００９】
この発明は、以上説明したように、エレベータの主索に連結する連結手段及びエレベータ巻上機の進入孔から挿入されてエレベータ巻上機内部に設けられた駆動綱車に係止する係止手段を備える構成としたことで、簡単な構造を有し、装置の運搬や保管も容易に行うことができる。
【発明を実施するための最良の形態】
【００１０】
実施の形態１．
図１はこの発明の実施の形態１におけるエレベータ巻上機の主索掛け装置の斜視図、図２及び図３は図１のエレベータ巻上機の主索掛け装置を使用した主索巻掛作業を示す縦断面図である。
【００１１】
図において、エレベータの巻上機１のハウジング２内部に、エレベータの主索４の巻き上げ及び巻き下げを行う回動可能な駆動綱車３が設置され、この巻上機１の上側に主索４の進入孔９及び進出孔１０が形成されている。後述する主索４の巻掛作業では、主索４は進入孔９から挿入されて駆動綱車３にＵ字形状に巻き掛けられた後、進出孔１０から引き出される。また、主索４の先端部は、案内具５の上面に設けられた取付穴５ｂに挿入されており、案内具５の一側面から捩じ込まれた固定手段からなるロープ止めボルト６によって、取付穴５ｂ内部でその側部を押圧されることで、案内具５に固定されている。ここで、主索４を案内具５に固定する際には、ロープ止めボルト６の下方に設けられた、取付穴５ｂに通じる確認穴５ａから、主索４の先端を目視することができる状態でロープ止めボルト６を締め付ける。また、案内具５の他側面には、駆動綱車３の外周面と略同形状の湾曲面７ａを外側に有する係止手段からなる磁石７が設けられている。
【００１２】
なお、案内具に設けられた取付穴５ｂと、確認穴５ａと、固定手段からなるロープ止めボルト６とにより、連結手段は構成されている。
【００１３】
次に、図１に示すエレベータ巻上機の主索掛け装置を使用した場合の主索４の巻掛作業について説明する。先ず、主索４に固定された案内具５を巻上機１の上部に設けられた進入孔９からハウジング２内部に挿入し、案内具５に設けられた磁石７の湾曲面７ａが駆動綱車３の外周面に対向するようにして、案内具５を駆動綱車３に吸着させる（図２）主索係止工程を行う。次に、案内具５が巻上機１の下部を通過して巻上機１の上部に設けられた進出孔１０の下方に位置するまで、手動で駆動綱車３を回転させる主索移動工程を行う。そして、進出孔１０に手８を挿入して（図３）、案内具５を取り出すことで主索４の巻掛作業は完了する。
【００１４】
この発明の実施の形態１によれば、磁石７が設けられた案内具５は簡単な構造を有しているため、主索４の取り付けや巻掛作業を容易に行うことができる。また、部品数が少なく体積も小さいため、運搬や保管を行うに際しても便利である。さらに、主索４の取り付けを行う場合には、ロープ止めボルト６の下方に設けられた確認穴５ａから、主索４の先端部を確認することができる状態でロープ止めボルト６を締め付けるため、主索４の先端から所定の距離離れた箇所をロープ止めボルト６で固定することができる。したがって、主索４の取付時に主索４の最先端部を固定してしまうことによって、巻掛作業中に主索４が案内具５の取付穴５ｂから抜けてしまうといった不具合を防止することが可能となる。
【００１５】
実施の形態２．
図４はこの発明の実施の形態２におけるエレベータ巻上機の主索掛け装置の斜視図、図５は図４のエレベータ巻上機の主索掛け装置を使用した主索巻掛作業を示す縦断面図である。
【００１６】
図において、案内具１１の下部には下方に突出した突起部１１ｂが形成され、この突起部１１ｂの中央部に軸１３が回動可能に支持されている。また、この軸１３の両端部には、略Ｕ字形状の取付手段からなる取出具１２の両端部が固定されており、その他は実施の形態１と同様の構成となっている。
【００１７】
次に、図４に示すエレベータ巻上機の主索掛け装置を使用した場合の主索４の巻掛作業について説明する。実施の形態１と同様に、先ず、案内具１１に設けられた磁石７を駆動綱車３に吸着させる主索係止工程を行う。その後、手動で駆動綱車３を回転させ、案内具１１が巻上機１の下部を通過して進出孔１０の下方に位置するまで移動させる主索移動工程を行う。ここで、案内具１１の先端に設けられた取出具１２に略レ字状又は略Ｌ字状の引出具からなる鉤１８を係合させる。この状態で、鉤１８を上方に引き上げて、案内具１１を駆動綱車３から引き離し、進出孔１０から取り出す（図５）主索取出工程を行う。
【００１８】
この発明の実施の形態２によれば、案内具１１の先端に設けられた取出具１２に略レ字状又は略Ｌ字状の鉤１８を掛合させることによって、案内具１１を進出孔１０から容易に取り出すことができるため、作業効率が向上する。特に、主索４の剛性が高い場合や何本もの主索４を一度に巻き掛ける場合などでは、巻掛作業中に案内具１１が駆動綱車３から外れないようにするため、吸着力の強い磁石７を使用して駆動綱車３に強固に密着させなければならない。このような場合には、狭い進出孔１０に手を挿入して案内具１１を引き出すことが困難となり作業性が悪化する要因となる。しかし、取出具１２に略レ字状又は略Ｌ字状の鉤１８を掛合させて案内具１１を引き出す構成としたことで、作業が容易になり、作業効率も向上することになる。
【００１９】
実施の形態３
図６はこの発明の実施の形態３におけるエレベータ巻上機の主索掛け装置の要部を示す斜視図、図７は図６の要部を案内具に固定したことを示す図、図８及び図９は図６の要部を使用した主索巻掛作業を示す縦断面図である。
【００２０】
図において、主索４が取付けられた案内具１１の先端には回動可能な取出具１２が設けられている。この取出具１２には弾性材料からなる先導条体１６の一端部が連結され、この先導状体１６の他端部は環状に形成されている。また、図６において、磁石１４の両端部には環状の取出具１５ａ及び１５ｂがそれぞれ設けられている。この磁石１４に設けられた一方の取出具１５ａが前述した先導条体１６の他端部に連結されるとともに、磁石１４が先導状体１６の他端部に固定テープ１７によって固定されている。
【００２１】
なお、図６に示す磁石１４を使用した場合の巻掛作業については詳細な説明を省略するが、実施の形態２と同様な作業によって行われる。また、磁石１４と、取出具１４ａと、固定テープ１７とによって固定具は構成されている。
【００２２】
この発明の実施の形態３によれば、主索４の先端に案内具１１を設け、この案内具１１と磁石１４とを弾性材料からなる先導条体１６で連結し、磁石１４の一端部に取出具１５ｂを有することによって、先導条体１６を使用した場合でも、鉤１８を使用して磁石１４を容易に進出孔１０から取り出すことができる。この場合、案内具１１を駆動綱車３に密着させる必要はないので、案内具１１に磁石７を備えることは特に必要としない。
【００２３】
また、実施の形態３では先導条体１６と磁石１４を別部品として連結しているが、先導条体１６の先端に取出具１５ｂを有する磁石１４を設けることで１つの部品とすることでも、同様の効果を得ることができる。
【図面の簡単な説明】
【００２４】
【図１】この発明の実施の形態１におけるエレベータ巻上機の主索掛け装置の斜視図である。
【図２】図１のエレベータ巻上機の主索掛け装置を使用した主索巻掛作業を示す縦断面図である。
【図３】図１のエレベータ巻上機の主索掛け装置を使用した主索巻掛作業を示す縦断面図である。
【図４】この発明の実施の形態２におけるエレベータ巻上機の主索掛け装置の斜視図である。
【図５】図４のエレベータ巻上機の主索掛け装置を使用した主索巻掛作業を示す縦断面図である。
【図６】この発明の実施の形態３におけるエレベータ巻上機の主索掛け装置の要部を示す斜視図である。
【図７】図６の要部を案内具に固定したことを示す図である。
【図８】図６の要部を使用した主索巻掛作業を示す縦断面図である。
【図９】図６の要部を使用した主索巻掛作業を示す縦断面図である。
【符号の説明】
【００２５】
１  巻上機
２  ハウジング
３  駆動綱車
４  主索
５、１１  案内具
５ａ  確認穴
５ｂ  取付穴
６  ロープ止めボルト
７  磁石
７ａ  湾曲面
８  手
９  進入孔
１０  進出孔
１１ａ  取付穴
１１ｂ  突起部
１２  取出具
１３  軸
１４  磁石
１５ａ、１５ｂ  取出具
１６  先導条体
１７  固定テープ
１８  鉤
【図１】
2005067820.tif 000003
【図２】
2005067820.tif 000004
【図３】
2005067820.tif 000005
【図４】
2005067820.tif 000006
【図５】
2005067820.tif 000007
【図６】
2005067820.tif 000008
【図７】
2005067820.tif 000009
【図８】
2005067820.tif 000010
【図９】
2005067820.tif 000011